【事件の表示】
　平成　８年特許願第　８３３９６号「スロットマシン」拒絶査定不服審判事件〔平成　９年１０月２１日出願公開、特開平　９−２７１５５９〕について、次のとおり審決する。
【結　論】
　本件審判の請求は、成り立たない。
【理　由】
１．手続の経緯・本願発明１
　本願は、平成８年４月５日の出願であって、請求項１ないし３に係る発明のうち、その請求項１に係る発明（以下、本願発明１という。）は、平成１７年６月３日付け手続補正書により補正された明細書及び図面の記載からみて、その請求項１に記載された事項により特定される次のとおりのものである。
「【請求項１】複数の回転リールを横方向に並列し、各回転リールの外周表面に複数のシンボルマークを所定間隔で表示し、各回転リールを回転させてシンボルマークを移動表示し、該シンボルマークの停止表示態様が予め定めた所定の組み合わせであった場合に、遊技者に利益を付与するスロットマシンにおいて、
　上記スロットマシンの回転リール
を、回転リールの外方から
スロットマシン内部
　現在の遊技状態を判定する遊技状態判定手段と、
　前記遊技状態判定手段
が、所定のシンボルマークが予め定めた所定の組み合わせに揃ったと判断した場合に、次遊技開始までの間、電源投入時の点灯状態から前記シンボルマークの所定の組み合わせが揃ったときの点灯状態に変化するように、
　
２．刊行物の記載内容
　これに対して、当審の拒絶の理由に引用され、本願の出願前に頒布された特開平６−１０５９４３号公報（以下、「刊行物」という。）には、次のことが記載されている。
「【０００１】【産業上の利用分野】この発明は、スロットマシンやパチンコ機などの遊戯機に用いられるリールに関する。」、
「【０００４】【発明が解決しようとする課題】・・・ところで、この種の遊戯機は、遊戯者のゲームに対する気分を高める必要があるため、スロットマシンについては、リール表示窓の真上位置に表示パネルを設け、その表示パネルの背後に複数のランプを配置して適時点灯または点滅動作させることにより、遊戯者のゲームに対する気分を盛り上げるようにしている。」、
「【００１１】【実施例】図１はこの発明にかかる遊戯機用リールが用いられたスロットマシン２の外観を示す。このスロットマシン２は、外周面に複数のシンボルが表された３個のリール１ａ，１ｂ，１ｃを備え、・・・」、
「【００２０】このスロットマシン２の機体の内側には、各リール１ａ，１ｂ，１ｃの外周面に対向する位置にランプが配備される。図４の正面図および図５の側面図に示す例では、シンボル表示窓３の上下位置に、白色蛍光を発する２個の白色ランプ２０，２０が設けてある。【００２１】前記白色ランプ２０，２０は、電源がオンの状態では、常時点灯して各リール１ａ，１ｂ，１ｃを照明する。・・・なお、白色ランプ２０，２０は常時点灯させる以外に、入賞時に限って点灯動作させるようにしてもよい。」、
「【００２７】図７，８のように、蓄光インキおよび蛍光インキの２種類のインキが用いられる場合は、図９（１）（２）に示すごとく、白色ランプ２０と紫外線ランプ２１とをそれぞれ、リール表示窓３の上下位置に設置する。」、
「【００２８】これらランプのうち、白色ランプ２０は電源がオンの状態で常時点灯させるが、紫外線ランプ２１は、後述する制御部２５からの指令に応じて、適時点灯・消灯動作させる。なお白色ランプ２０も紫外線ランプ２１と同様、適時点灯させるようにしてもよい。」、
「【００２９】なお、上記の各実施例では、各ランプ２０，２１をリール表示窓３の上下位置にとりつけているが、これに限らず、各リール１ａ，１ｂ，１ｃの内側に設けることも可能である。」、
「【００３３】図１１は、リールに蛍光インキが用いられた実施例（図５，６，７，８）について、制御部２５による制御手順をステップ１（図中「ＳＴ１」で示す）〜ステップ１５で示す。・・・【００３４】メダルの投入が行われ・・・始動レバー５が操作されると・・・すべてのリール１ａ，１ｂ，１ｃを一斉に始動させ、紫外線ランプ２１の点灯、消灯をランダムに繰り返す（ステップ３，４）。【００３５】・・・第１のリール１ａの停止スイッチ６ａが押操作されると、・・・リール１ａを停止させる。【００３６】同様に、第２のリール１ｂの停止スイッチ６ｂが押操作されたときはステップ６が、第３のリール１ｃの停止スイッチ６ｃが押操作されたときはステップ７が、それぞれ「ＹＥＳ」となり、ＣＰＵ２６は対応するリール１ｂ，１ｃを停止させる（ステップ９，１０）。【００３７】すべてのリール１ａ，１ｂ，１ｃが停止すると、・・・紫外線ランプ２１，２１を点灯させた後、ステップ１３でいずれか有効ラインに入賞にかかるシンボルの組み合わせが成立しているかどうかを判定する。【００３８】入賞が成立していればこの判定は「ＹＥＳ」となり、ＣＰＵ２６はつぎのステップ１４で、メダル払出口１２より所定の枚数のメダルを払い出した後、ステップ１５で各リール１ａ，１ｂ，１ｃの紫外線ランプ２１，２１を消灯する。」、
「【００３９】なお、上記の例では各リール１ａ，１ｂ，１ｃの回転時および停止時に紫外線ランプ２１を点灯動作させているが、これに限らず、各リールに入賞にかかるシンボルの組合せが成立したときに紫外線ランプ２１を点灯して蛍光インキによる着色部分を発光させてもよい。」。
　
　上記記載等及び図面の記載及び技術常識からみて、刊行物には、「リールを横方向に並列し、各リールの外周表面に複数のシンボル１７を所定間隔で表示し、各リールを回転させてシンボル１７を移動表示し、有効ラインに入賞にかかるシンボルの組み合わせが成立しているかどうかを判定し、入賞が成立していれば、所定の枚数のメダルを払い出すスロットマシンにおいて、上記スロットマシンのリールを、リールの外方から照明する白色ランプ２０及び紫外線ランプ２１をスロットマシン内部に配置し、回転リールの回転時および停止時に紫外線ランプ２１，２１を点灯動作させるか、入賞時に白色ランプを点灯動作させるか、入賞時に紫外線ランプ２１，２１を点灯動作させるかしたスロットマシン。」の発明が記載されていると認められる。
　
３．対比・判断
　本願発明１と上記刊行物記載の発明とを対比すると、刊行物記載の発明の「リール」、「シンボル１７」、「白色ランプ２０及び紫外線ランプ２１」が、それぞれ、本願発明の「回転リール」、「シンボルマーク」、「光源」に相当し、上記刊行物記載の発明は、「有効ラインに入賞にかかるシンボルの組み合わせが成立しているかどうかを判定」するから、本願発明１の「遊技状態判定手段」を備え、又、上記刊行物記載の発明は、「白色ランプ」及び「紫外線ランプ」を点灯、消灯させるから、「光源切替手段」を備え、両者は、
「複数の回転リールを横方向に並列し、各回転リールの外周表面に複数のシンボルマークを所定間隔で表示し、各回転リールを回転させてシンボルマークを移動表示し、該シンボルマークの停止表示態様が予め定めた所定の組み合わせであった場合に、遊技者に利益を付与するスロットマシンにおいて、
　上記スロットマシンの回転リールを、回転リールの外方から照明する少なくとも２種類以上の光源をスロットマシン内部に配置し、
　現在の遊技状態を判定する遊技状態判定手段と、
　前記遊技状態判定手段が、所定のシンボルマークが予め定めた所定の組み合わせに揃ったと判断した場合に、電源投入時の点灯状態から前記シンボルマークの所定の組み合わせが揃ったときの点灯状態に変化する光源切替手段とを備えたスロットマシン。」である点で一致し、次の点で相違する。
（相違点１）
　本願発明１が、「少なくとも２色以上の光源を横方向に順次配置」したのに対し、刊行物記載の発明は、２種類の光源（白色ランプと紫外線ランプ）を上下に配置した点。
（相違点２）
　本願発明１が、「遊技状態判定手段が、所定のシンボルマークが予め定めた所定の組み合わせに揃ったと判断した場合に、次遊技開始までの間、電源投入時の点灯状態から前記シンボルマークの所定の組み合わせが揃ったときの点灯状態に変化するように、前記光源を択一的に点灯若しくは同時に点灯させる光源切替手段を備えた」のに対し、刊行物には、シンボルマークの所定の組み合わせが揃ったときの点灯状態が次遊技開始まで継続するとの記載がなく、光源切替手段が光源を択一的に点灯若しくは同時に点灯させるものであるとの記載もない点。
　
　上記相違点１を検討すると、刊行物記載の発明の「白色ランプ２０及び紫外線ランプ２１」自体は異なる色とはいえないが、これらランプによって、本願発明１と同様に遊技状態に応じてリールの色彩を変化させるものであるし、スロットマシン等の遊技機の当該技術分野において、少なくとも２色以上の光源を横方向に順次配置配置することは、周知慣用であるから（特開平５−２７７２４１号公報（【図４】の照明手段５１）及び特開平８−８４８１１号公報（【図７】の第１表示器）等参照）、上記刊行物記載の発明において、上記相違点１の本願発明に係る構成とすることは、当業者であれば容易になし得ることである。
　
　上記相違点２を検討すると、当該技術分野において、次遊技状態開始まで表示状態を継続することは、周知慣用であるから（特開平５−１７７０３０号公報の段落【００２０】、【００２５】、【００２６】、特開平７−２２７４６８号公報の段落【００６９】等参照）、上記刊行物記載の発明において「遊技状態判定手段が、所定のシンボルマークが予め定めた所定の組み合わせに揃ったと判断した場合に、次遊技開始までの間、電源投入時の点灯状態から前記シンボルマークの所定の組み合わせが揃ったときの点灯状態に変化するように」構成することは、当業者であれば容易に思いつく程度の設計的事項にすぎない。
　又、当該技術分野において、本願発明１と同様に、「光源の色を切り替えることで、現在の遊技状態をわかり易く表示することができる」（本願明細書【０００１】参照）ようにすることを目的として、「現在の遊技状態を判定する遊技状態判定手段と、前記遊技状態判定手段における判定結果に基づいて、前記光源を種々の点灯状態に切り替える光源切替手段とを備えた」ものは、周知であり（特開平５−２７７２４１号公報（段落【００１０】、【００２６】、【００３７】ないし【００３９】、【００４６】）、特開平８−８４８１１号公報（段落【００６９】、【００７９】ないし【００８３】、【００８４】）等参照）、上記刊行物記載の発明に上記周知技術を適用するにあたって、光源を種々の点灯状態に切り替える光源切り替え手段を、その一態様である、光源を択一的に点灯若しくは同時に点灯させるようにすることは、当業者であれば容易に思いつく程度の設計的事項にすぎない。
　結局、上記刊行物記載の発明において、上記相違点２の本願発明に係る構成とすることは、当業者であれば容易になし得ることである。
　
　したがって、上記刊行物記載の発明及び周知技術に基いて本願発明１の構成とすることは、当業者であれば容易に思い付くことであり、このようにしたことによる格別の作用効果も認められない。
　
４．むすび
　以上のとおり、本願発明１は、刊行物記載の発明及び周知技術に基いて当業者が容易に発明をすることができたものであるから、特許法第２９条２項の規定により特許を受けることができず、本願の他の請求項に係る発明を検討するまでもなく、本願は拒絶をすべきものである。
　よって、結論のとおり審決する。